【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
表示装置の表示画面の近傍に配設された表示灯の点灯動作を制御する処理をコンピュータに実行させる表示灯制御プログラムにおいて、
アプリケーションプログラムの実行に伴って生成されるウィンドウの前後の位置および大きさを示す情報を取得するウィンドウ情報取得手段、
前記アプリケーションプログラムが、コンテンツを前記表示装置に表示させるためのコンテンツ表示プログラムであるか否かを判定するプログラム判定手段、
前記ウィンドウ情報取得手段により取得された情報と、前記プログラム判定手段による判定結果とに基づき、前記コンテンツ表示プログラムに対応する前記ウィンドウが、最前面に配置され、かつ、所定の大きさ以上である場合には、前記表示灯を所定値より暗くするように制御する制御手段、
として前記コンピュータを機能させることを特徴とする表示灯制御プログラム。
【請求項２】
前記制御手段は、前記ウィンドウ情報取得手段により取得された情報と、前記プログラム判定手段による判定結果とに基づき、前記コンテンツ表示プログラムに対応する前記ウィンドウが、最前面に配置され、かつ、前記所定の大きさ以上である場合以外には、前記表示灯を前記所定値の明るさに制御することを特徴とする請求項１記載の表示灯制御プログラム。
【請求項３】
前記制御手段は、前記コンテンツ表示プログラムに対応する前記ウィンドウが、最前面に配置され、かつ、前記表示装置の全面を占める大きさである場合には、前記表示灯を前記所定値より暗くするように制御し、それ以外の場合には、前記表示灯を前記所定値の明るさに制御することを特徴とする請求項１記載の表示灯制御プログラム。
【請求項４】
前記制御手段は、前記コンテンツ表示プログラムに対応する前記ウィンドウが、最前面に配置され、かつ、前記所定の大きさ以上である場合には、前記表示灯を消灯するように制御し、それ以外の場合には、前記表示灯を点灯するように制御することを特徴とする請求項１記載の表示灯制御プログラム。
【請求項５】
前記プログラム判定手段は、１つ以上の前記コンテンツ表示プログラムを識別するプログラム識別情報が登録された登録情報を保持し、前記制御手段から通知された前記プログラム識別情報が前記登録情報に登録されていた場合に、当該プログラム識別情報が前記コンテンツ表示プログラムに対応すると判定し、
前記制御手段は、前記ウィンドウ情報取得手段により取得された情報から、最前面に配置されて、かつ、前記所定の大きさ以上であると判定した前記ウィンドウに対応するアプリケーションプログラムのプログラム識別情報を前記プログラム判定手段に通知し、当該プログラム識別情報が前記コンテンツ表示プログラムに対応すると判定された場合には、前記表示灯を前記所定値より暗くするように制御することを特徴とする請求項１記載の表示灯制御プログラム。
【請求項６】
前記プログラム判定手段は、ユーザによる操作入力に応じて受信した制御信号に基づいて、前記登録情報に対するプログラム識別情報の追加および削除を行う機能を備えたことを特徴とする請求項５記載の表示灯制御プログラム。
【請求項７】
前記制御手段は、前記コンテンツ表示プログラムに対応する前記ウィンドウが最前面に配置されている状態において、情報処理装置を操作するための入力デバイスに対するユーザの入力操作を検出した場合には、強制的に、前記入力デバイスの種類に応じた前記表示灯の明るさの制御を実行することを特徴とする請求項１記載の表示灯制御プログラム。
【請求項８】
前記制御手段は、前記入力デバイスに対する操作入力の検出に伴う前記表示灯の明るさ変更処理後に、前記入力デバイスに対する操作入力が一定時間検出されなかった場合には、前記ウィンドウ情報取得手段により取得された情報と前記プログラム判定手段による判定結果とに基づいて前記表示灯の明るさを制御することを特徴とする請求項７記載の表示灯制御プログラム。
【請求項９】
前記制御手段は、前記表示灯が前記所定値より暗い状態で、前記コンピュータに有線接続された前記入力デバイスに対してユーザによる操作入力があったことを検出した場合には、前記表示灯を前記所定値の明るさに制御することを特徴とする請求項７記載の表示灯制御プログラム。
【請求項１０】
前記制御手段は、前記コンテンツ表示プログラムに対応する前記ウィンドウが最前面に配置されている状態では、当該コンテンツ表示プログラムに対応する前記ウィンドウが前記所定の大きさ以上になった場合、または、前記コンピュータに無線接続された前記入力デバイスに対してユーザによる操作入力があったことを検出した場合の少なくとも一方で、前記表示灯を前記所定値より暗くするように制御することを特徴とする請求項７記載の表示灯制御プログラム。
【請求項１１】
前記制御手段は、前記表示灯の明るさを前記所定値より暗く制御している状態で、ユーザの操作入力により、前記コンテンツ表示プログラムによるコンテンツの再生の開始以外の動作が要求されたことを検出した場合には、前記表示灯を前記所定値の明るさに制御することを特徴とする請求項１記載の表示灯制御プログラム。
【請求項１２】
前記制御手段は、前記コンテンツ表示プログラムによるコンテンツの再生動作状態を監視し、当該コンテンツ表示プログラムに対応する前記ウィンドウが、最前面に配置され、かつ、前記所定の大きさ以上であり、かつ、当該コンテンツ表示プログラムによるコンテンツの再生動作中である場合に、前記表示灯を前記所定値より暗くするように制御することを特徴とする請求項１記載の表示灯制御プログラム。
【請求項１３】
前記制御手段は、前記コンテンツ表示プログラムに対応する前記ウィンドウが、最前面に配置され、かつ、前記所定の大きさ以上である場合でも、前記表示装置の表示画面の前面方向の所定範囲を撮像する撮像装置からの画像に人物が写っていないときには、前記表示灯を前記所定値の明るさに制御することを特徴とする請求項１記載の表示灯制御プログラム。
【請求項１４】
前記制御手段は、前記コンテンツ表示プログラムに対応する前記ウィンドウが、最前面に配置され、かつ、前記所定の大きさ以上である場合でも、前記表示装置の表示画面の前面方向を撮像する撮像装置からの画像の解析結果から、当該表示装置から一定の距離範囲内に人物が存在していると推定したとき、または、撮像された画像内に人物の存在を確認できないときには、前記表示灯を前記所定値の明るさに制御することを特徴とする請求項１記載の表示灯制御プログラム。
【請求項１５】
前記制御手段は、前記コンテンツ表示プログラムに対応する前記ウィンドウが最前面に配置されている場合に、前記表示装置の表示画面の前面方向を撮像する撮像装置からの画像の解析結果から、当該表示装置から一定の距離範囲の外に人物が存在していると推定したときには、最前面の前記ウィンドウの大きさに関係なく、前記表示灯を前記所定値の明るさに制御することを特徴とする請求項１記載の表示灯制御プログラム。
【請求項１６】
前記コンピュータが、前記表示装置に対するコンテンツの表示時に適した画質補正を施す画質補正機能を備える場合に、前記制御手段は、前記コンテンツ表示プログラムに対応する前記ウィンドウが、最前面に配置され、かつ、前記所定の大きさ以上である場合に、前記画質補正機能の動作をオンにするための制御信号を出力し、それ以外の場合には、前記画質補正機能の動作をオフにするための制御信号を出力することを特徴とする請求項１記載の表示灯制御プログラム。
【請求項１７】
表示画面の近傍に表示灯が配設された表示装置に接続された情報処理装置において、
アプリケーションプログラムの実行に伴って生成されるウィンドウの前後の位置および大きさを示す情報を保持するウィンドウ状態管理手段と、
前記アプリケーションプログラムを識別するプログラム識別情報を保持するプログラム情報保持手段と、
前記ウィンドウ状態管理手段および前記プログラム情報保持手段が保持する情報に基づき、コンテンツを前記表示装置に表示させるためのコンテンツ表示プログラムに対応する前記ウィンドウが、最前面に配置され、かつ、所定の大きさ以上である場合には、前記表示灯を所定値より暗くするように制御する制御手段と、
を有することを特徴とする情報処理装置。
【請求項１８】
表示画面の近傍に表示灯が配設された表示装置に接続された情報処理装置における表示灯制御方法であって、
ウィンドウ情報取得手段が、アプリケーションプログラムの実行に伴って生成されるウィンドウの前後の位置および大きさを示す情報を取得し、
プログラム判定手段が、前記アプリケーションプログラムが、コンテンツを前記表示装置に表示させるためのコンテンツ表示プログラムであるか否かを判定し、
制御手段が、前記ウィンドウ情報取得手段により取得された情報と、前記プログラム判定手段による判定結果とに基づき、前記コンテンツ表示プログラムに対応する前記ウィンドウが、最前面に配置され、かつ、所定の大きさ以上である場合には、前記表示灯を所定値より暗くするように制御する、
ことを特徴とする表示灯制御方法。
【手続補正２】
【補正対象書類名】明細書
【補正対象項目名】０００１
【補正方法】変更
【補正の内容】
【０００１】
本発明は、表示装置の表示画面の近傍に配設された表示灯の点灯動作を制御する処理をコンピュータに実行させる表示灯制御プログラム、その処理を実行する情報処理装置、および表示灯制御方法に関し、特に、ビデオコンテンツを表示装置に表示させる場合に適する表示灯制御プログラム、情報処理装置および表示灯制御方法に関する。
【手続補正３】
【補正対象書類名】明細書
【補正対象項目名】０００７
【補正方法】変更
【補正の内容】
【０００７】
本発明はこのような課題に鑑みてなされたものであり、表示画面の近傍に配設された表示灯を自動的に制御して、コンテンツの視聴環境を良好に保つようにした表示灯制御プログラム、情報処理装置および表示灯制御方法を提供することを目的とする。
【手続補正４】
【補正対象書類名】明細書
【補正対象項目名】０００８
【補正方法】変更
【補正の内容】
【０００８】
本発明では上記課題を解決するために、表示装置の表示画面の近傍に配設された表示灯の点灯動作を制御する処理をコンピュータに実行させる表示灯制御プログラムにおいて、アプリケーションプログラムの実行に伴って生成されるウィンドウの前後の位置および大きさを示す情報を取得するウィンドウ情報取得手段、前記アプリケーションプログラムが、コンテンツを前記表示装置に表示させるためのコンテンツ表示プログラムであるか否かを判定するプログラム判定手段、前記ウィンドウ情報取得手段により取得された情報と、前記プログラム判定手段による判定結果とに基づき、前記コンテンツ表示プログラムに対応する前記ウィンドウが、最前面に配置され、かつ、所定の大きさ以上である場合には、前記表示灯を所定値より暗くするように制御する制御手段として、前記コンピュータを機能させることを特徴とする表示灯制御プログラムが提供される。
【手続補正５】
【補正対象書類名】明細書
【補正対象項目名】０００９
【補正方法】変更
【補正の内容】
【０００９】
このような表示灯制御プログラムをコンピュータに実行させると、ウィンドウ情報取得手段により、ウィンドウの前後の位置および大きさを示す情報が取得され、プログラム判定手段により、アプリケーションプログラムが、コンテンツを表示装置に表示させるためのコンテンツ表示プログラムであるか否かが判定される。そして、制御手段により、ウィンドウ情報取得手段により取得された情報と、プログラム判定手段による判定結果とを基に、表示灯の明るさが制御される。具体的には、コンテンツ表示プログラムに対応するウィンドウが、最前面に配置され、かつ、所定の大きさ以上である場合には、表示灯を所定値より暗くするように制御される。
【手続補正６】
【補正対象書類名】明細書
【補正対象項目名】００１０
【補正方法】変更
【補正の内容】
【００１０】
本発明の表示灯制御プログラムによれば、コンテンツ表示プログラムに対応するウィンドウが、最前面に配置され、かつ、所定の大きさ以上である場合には、表示灯を所定値より暗くするように制御されるので、ユーザがモニタ装置から離れてコンテンツを視聴していることを正確に推定して、表示灯を自動的に暗くして、表示灯からの光をユーザの目に入りにくくすることができる。従って、ユーザは、特に入力操作を行うことなく、快適な環境でコンテンツを視聴できるようになる。